(57)【要約】【課題】重要呼を確実に確立することができる通信システムおよび呼制御方法を提供する。【解決手段】加入者情報の管理を行うとともに、加入者に対するサービスを提供するアプリケーションサーバ４に接続される第１の呼セッション制御サーバ１と、端末装置５からの呼接続要求を第１の呼セッション制御サーバ１に伝達する第２の呼セッション制御サーバ２とが設けられた通信システムであって、端末装置５の位置情報にもとづいて、端末装置５からの一般呼とは異なる重要通信呼の重要通信受付端末６へのルーティングを行う重要通信呼ルーティング装置７が設けられ、第２の呼セッション制御サーバ２とは別に、端末装置５からの重要通信の呼接続要求を重要通信呼ルーティング装置７に伝達する第３の呼セッション制御サーバ３が設けられている。【選択図】図７
2010074769.tif 000002
【特許請求の範囲】
【請求項１】
加入者情報の管理を行うとともに、加入者に対するサービスを提供するアプリケーションサーバに接続される第１の呼セッション制御サーバと、
端末装置からの呼接続要求を前記第１の呼セッション制御サーバに伝達する第２の呼セッション制御サーバとが設けられた通信システムであって、
端末装置の位置情報にもとづいて、端末装置からの一般呼とは異なる重要通信呼の重要通信受付端末へのルーティングを行う重要通信呼ルーティング装置が設けられ、
前記第２の呼セッション制御サーバとは別に、端末装置からの重要通信の呼接続要求を前記重要通信呼ルーティング装置に伝達する第３の呼セッション制御サーバが設けられている
ことを特徴とする通信システム。
【請求項２】
第１の呼セッション制御サーバは、ＩＭＳ網におけるＳ−ＣＳＣＦであり、
第２の呼セッション制御サーバは、ＩＭＳ網におけるＰ−ＣＳＣＦであり、
第３の呼セッション制御サーバは、ＩＭＳ網に設けられた重要通信呼用のＰ−ＣＳＣＦである
請求項１記載の通信システム。
【請求項３】
端末装置からの要求に応じて端末装置がアクセスすべきＰ−ＣＳＣＦのアドレスを端末装置に通知するＤＨＣＰサーバが設けられ、
前記ＤＨＣＰサーバは、端末装置からの要求が重要通信呼についての要求である場合に、重要通信呼用のＰ−ＣＳＣＦのアドレスを端末装置に通知する
請求項２記載の通信システム。
【請求項４】
ＤＨＣＰサーバは、端末装置から重要通信であることを示す情報を含む要求を受けた場合に、端末装置からの要求が重要通信呼についての要求であると判断する
請求項３記載の通信システム。
【請求項５】
通信の輻輳が生じているエリアを示す情報を保持する管理装置が設けられ、
端末装置は、
自装置の位置を検出する位置検出手段と、
位置検出手段が検出した位置を示す位置情報をＤＨＣＰサーバに対する要求に含める位置通知手段とを備え、
前記ＤＨＣＰサーバは、
端末装置からの要求に位置情報が含まれていることを検出した場合に、要求に含まれていた位置情報が示す位置が、前記管理装置が保持する情報が示す通信の輻輳が生じているエリアに含まれているときに、端末装置からの要求が重要通信呼についての要求であると判断する
請求項３記載の通信システム。
【請求項６】
重要通信呼ルーティング装置は、端末装置のＩＰアドレスにもとづいて、端末装置からの重要通信呼の重要通信受付端末へのルーティングを行う
請求項１から請求項５のうちのいずれか１項に記載の通信システム。
【請求項７】
加入者情報の管理を行うとともに、加入者に対するサービスを提供するアプリケーションサーバに接続されるＳ−ＣＳＣＦと、
端末装置からの呼接続要求を前記Ｓ−ＣＳＣＦに伝達するＰ−ＣＳＣＦとが設けられた通信システムで実行される呼制御方法であって、
端末装置からの要求に応じて端末装置がアクセスすべきＰ−ＣＳＣＦのアドレスを端末装置に通知するＤＨＣＰサーバが、端末装置からの要求が一般呼とは異なる重要通信呼についての要求である場合に、重要通信呼用のＰ−ＣＳＣＦのアドレスを端末装置に通知し、
前記重要通信呼用のＰ−ＣＳＣＦが、端末装置からの重要通信の呼接続要求を前記重要通信呼ルーティング装置に伝達し、
重要通信呼ルーティング装置が、端末装置の位置情報にもとづいて、端末装置からの重要通信呼の重要通信受付端末へのルーティングを行う
ことを特徴とする呼制御方法。
【請求項８】
ＤＨＣＰサーバが、端末装置から重要通信であることを示す情報を含む要求を受けた場合に、重要通信呼用のＰ−ＣＳＣＦのアドレスを端末装置に通知する
請求項７記載の呼制御方法。
【請求項９】
管理装置が、通信の輻輳が生じているエリアを示す情報を保持し、
端末装置が、自装置の位置を検出する位置検出手段が検出した位置を示す位置情報をＤＨＣＰサーバに対する要求に含め、
前記ＤＨＣＰサーバが、端末装置からの要求に位置情報が含まれていることを検出した場合に、要求に含まれていた位置情報が示す位置が、前記管理装置が保持する情報が示す通信の輻輳が生じているエリアに含まれているときに、端末装置からの要求が重要通信呼についての要求であると判断する
請求項７記載の呼制御方法。
【請求項１０】
重要通信呼ルーティング装置が、端末装置のＩＰアドレスにもとづいて、端末装置からの重要通信呼の重要通信受付端末へのルーティングを行う
請求項７から請求項９のうちのいずれか１項に記載の呼制御方法。
【発明の詳細な説明】
【技術分野】
【０００１】
本発明は、災害発生時の重要通信呼を確実に成立させる通信システムおよび呼通信方法に関する。
【背景技術】
【０００２】
交換機を用いた携帯電話網では、災害発生時において災害発生地域に対する安否の確認の呼が集中したり諸連絡を目的とする呼が集中した場合に、通信網が輻輳した状態になることがある。しかし、通信網が輻輳した状態でも、重要通信（例えば、緊急通報や有線端末による通信）を行うことを可能にしておくことが要求されている（例えば、電気通信事業法第８条）。ＶｏＩＰ（Voice over Internet Protocol）サービスを提供するＩＭＳ（IP Multimedia Subsystem ）でも、災害発生時の緊急呼や優先端末からの優先呼等の重要通信呼（重要呼）を、優先的に確立させることが要求されると考えられる。
【０００３】
特許文献１には、ＶｏＩＰサービスを提供する際に、災害時等のために設けられている緊急用の電話機に対してユーザ端末から発呼が行われた場合に、予め帯域確保されている経路を介してデータパケットの送受信を行う方法が記載されている。
【０００４】
特許文献２には、ＶｏＩＰネットワーク内のユーザ端末が緊急呼を発生する通信システムが記載されている。
【０００５】
【特許文献１】特開２００３−１６３６９０号公報（段落００１９，００２３−００２４）
【特許文献２】特開２００７−２２８３７５号公報（段落００１４，００１５）
【発明の開示】
【発明が解決しようとする課題】
【０００６】
特許文献１に記載された方法は、ＶｏＩＰサービスを提供する際の緊急用の呼制御に関する方法であるが、帯域確保されている経路は、接続制御メッセージ処理装置（ＣＡ）と緊急用の電話機との間の経路である。すると、接続制御メッセージ処理装置に対して多数のユーザ端末からのサービス要求が集中すると、帯域確保されている経路が確保されていても、緊急用の電話機に対する呼を処理できなくなるおそれがある。
【０００７】
特許文献２に記載された通信システムは、ＶｏＩＰネットワーク内のユーザ端末が、公衆電話網（ＰＳＴＮ）側の緊急呼受付装置を呼び出す通信システムである。そのような通信システムでは、ＰＳＴＮ側で輻輳が生じている場合には、ユーザ端末は緊急呼受付装置に接続されないおそれがある。
【０００８】
そこで、本発明は、重要呼を確実に確立することができる通信システムおよび呼制御方法を提供することを目的とする。
【課題を解決するための手段】
【０００９】
本発明による通信システムは、加入者情報の管理を行うとともに、加入者に対するサービスを提供するアプリケーションサーバに接続される第１の呼セッション制御サーバと、端末装置からの呼接続要求を第１の呼セッション制御サーバに伝達する第２の呼セッション制御サーバとが設けられた通信システムであって、端末装置の位置情報にもとづいて、端末装置からの一般呼とは異なる重要通信呼の重要通信受付端末へのルーティングを行う重要通信呼ルーティング装置が設けられ、第２の呼セッション制御サーバとは別に、端末装置からの重要通信の呼接続要求を重要通信呼ルーティング装置に伝達する第３の呼セッション制御サーバが設けられていることを特徴とする。
【００１０】
本発明による呼制御方法は、加入者情報の管理を行うとともに、加入者に対するサービスを提供するアプリケーションサーバに接続されるＳ−ＣＳＣＦと、端末装置からの呼接続要求をＳ−ＣＳＣＦに伝達するＰ−ＣＳＣＦとが設けられた通信システムで実行される呼制御方法であって、端末装置からの要求に応じて端末装置がアクセスすべきＰ−ＣＳＣＦのアドレスを端末装置に通知するＤＨＣＰサーバが、端末装置からの要求が一般呼とは異なる重要通信呼についての要求である場合に、重要通信呼用のＰ−ＣＳＣＦのアドレスを端末装置に通知し、重要通信呼用のＰ−ＣＳＣＦが、端末装置からの重要通信の呼接続要求を重要通信呼ルーティング装置に伝達し、重要通信呼ルーティング装置が、端末装置の位置情報にもとづいて、端末装置からの重要通信呼の重要通信受付端末へのルーティングを行うことを特徴とする。
【発明の効果】
【００１１】
本発明によれば、重要呼を確実に確立することができる。
【発明を実施するための最良の形態】
【００１２】
実施形態１．
図１は、本発明による通信システムの第１の実施形態（実施形態１）の構成を示すブロック図である。図１に示す通信システム１０１は、ＩＰアクセス網２０１に含まれる装置およびＩＭＳ網３０１に含まれる装置を含む。ＩＰアクセス網２０１には、ユーザが使用する端末装置であるＵＥ（User Equipment）１０にＩＰアドレスを発行する機能、およびＩＰアクセス網２０１に接続されるＰ−ＣＳＣＦ（Proxy-Call Session Control Function ）３０のアドレスをＵＥ１０に通知する機能を有するＤＨＣＰサーバ（Dynamic Host Configuration Protocol ）２０がある。
【００１３】
ＵＥ１０は、固定ＩＰ電話機のような固定端末装置であってもよいし、携帯電話機のような移動端末装置であってもよい。ユーザがＶｏＩＰ通信を開始するためにＵＥ１０において発信操作を行うと、ＵＥ１０は、ＤＨＣＰサーバ２０をアクセスし、ＵＥ１０が接続すべきＰ−ＣＳＣＦのアドレスをＤＨＣＰサーバ２０から受信する。
【００１４】
ＩＭＳ網３０１には、ＳＩＰ（Session Initiation Protocol ）サーバで実現されるＰ−ＣＳＣＦ（Proxy-Call Session Control Function ）３０に加えて、ＳＩＰサーバで実現される重要呼用Ｐ−ＣＳＣＦ４０がある。重要呼用Ｐ−ＣＳＣＦ４０は、ＵＥ１０が緊急呼（１１０番や１１９番など）等の重要呼を発生したときに使用されるＣＳＣＦである。また、ユーザにサービスを提供するＳ−ＣＳＣＦ（Serving-Call Session Control Function ）５０に加えて、重要呼のＰＳＡＰ（緊急通報センタ：Public Safety Answering Point）へのルーティングを行うＥ−ＣＳＣＦ（Emergency-Call Session Control Function ）６０がある。
【００１５】
災害発生時には、一般の通信が急激に増加し、Ｐ−ＣＳＣＦ３０が輻輳している可能性がある。そこで、本実施の形態では、ＩＭＳ網内に、Ｐ−ＣＳＣＦ３０と別に、緊急呼（１１０番や１１９番など）の呼セッション制御を行う重要呼用Ｐ−ＣＳＣＦ４０が設置されている。
【００１６】
ＤＨＣＰサーバ２０は、ＵＥ１０からアクセスされたときに、ＵＥ１０にＩＰアドレスを発行したり、ＵＥ１０が接続すべきＰ−ＣＳＣＦのアドレスをＵＥ１０に通知するサーバである。ＤＨＣＰサーバ２０は、ＵＥ１０が重要呼以外の呼（一般呼）を発生した場合には、ＩＰアクセス網２０１に接続されるＰ−ＣＳＣＦであってＩＭＳ網３０１に存在するＰ−ＣＳＣＦ（一般呼用Ｐ−ＣＳＣＦ）３０のアドレスをＵＥ１０に通知し、ＵＥ１０が重要呼を発生した場合には、ＩＰアクセス網２０１に接続されるＰ−ＣＳＣＦであってＩＭＳ網３０１に存在する重要呼用Ｐ−ＣＳＣＦ４０のアドレスをＵＥ１０に通知する。
【００１７】
Ｓ−ＣＳＣＦ５０は、所属しているユーザのＵＥ１０の加入者情報をＨＳＳ（Home Subscriber Server ：図示せず）に接続されている。ＨＳＳは、ＵＥ１０の位置情報を含む加入者情報、セキュリティ情報およびユーザプロファイル情報などを管理する。Ｐ−ＣＳＣＦ３０は、ＵＥ１０からＩＰアドレス（位置情報に相当）を受けると、ユーザＵＥ１０所属しているＳ−ＣＳＣＦ５０に位置情報を転送し、Ｓ−ＣＳＣＦ５０は、ＨＳＳにＵＥ１０の位置情報を登録する。
【００１８】
Ｅ−ＣＳＣＦ６０は、ＬＲＦ（ＲＤＦ：Resource Description Framework）７０を利用してＰＳＡＰ８０への重要呼へのルーティングを行う。ＰＳＡＰ８０は、具体的には、警察機関や消防機関等において緊急呼を受ける端末装置である。
【００１９】
ＲＤＦ７０は、ＵＥ１０の位置情報としてのＩＰアドレスにもとづいて、ＰＳＡＰ８０への重要呼への経路を決め、経路を示すルーティング情報をＥ−ＣＳＣＦ６０に提供する。複数のＰＳＡＰ８０が存在する場合には、ＵＥ１０が存在する位置に最も近い位置に存在するＰＳＡＰ８０を特定し、特定したＰＳＡＰ８０への重要呼への経路を決め、経路を示すルーティング情報をＥ−ＣＳＣＦ６０に提供することが好ましい。ＩＰアドレスは、ＵＥ１０が存在する網において発行されるので、ＲＤＦ７０は、ＩＰアドレスからＵＥ１０が存在する領域を特定できる。なお、ＲＤＦ７０は、エリア単位で配置されているＰ−ＣＳＣＦが有するエリア情報を、ＵＥ１０から発呼を受けたＰ−ＣＳＣＦから取得することによってＵＥ１０の位置情報を取得してもよい。
【００２０】
図２は、ＵＥとＰＳＡＰとの通信を可能にする処理を説明するための説明図である。図３は、図１に示す通信システムにおいて、重要通信呼に関するＵＥとＤＨＣＰサーバとの間で実施される発見手順を示すシーケンス図である。発見手順は、３ＧＰＰ（3rd Generation Partnership Project）仕様  ＴＳ２３．２２８（ｖ８．５）の５．１．１．１章に示されている。
【００２１】
発呼が一般呼である場合に、ＵＥ１０が、ＤＨＣＰサーバ２０からアドレスが通知されたＰ−ＣＳＣＦ３０に対して登録メッセージを送信すると、ＩＭＳ網３０１におけるＵＥ１０の登録が行われる。その後、ＵＥ１０は、ＩＭＳ網３０１を介して他の端末装置と通信を行うことができる。
【００２２】
図３に示すように、ＵＥ１０は、アクセスすべきＰ−ＣＳＣＦを知るために、ＤＨＣＰサーバ２０に”ＤＨＣＰ  Ｉｎｆｏｒｍａｔｉｏｎ−Ｒｅｑｕｅｓｔ”メッセージを送信する。”ＤＨＣＰ  Ｉｎｆｏｒｍａｔｉｏｎ−Ｒｅｑｕｅｓｔ”メッセージは、ＩＰアクセスノード２１を介してリレーされ、”ＤＨＣＰ  Ｒｅｌａｙ  ｆｏｒｗａｒｄ”メッセージとしてＤＨＣＰサーバ２０に到達する。ＤＨＣＰサーバ２０は、Ｐ−ＣＳＣＦ３０のアドレスを示す情報を含む”ＤＨＣＰ  Ｒｅｌａｙ  Ｒｅｐｌｙ”メッセージを送信する。”ＤＨＣＰ  Ｒｅｌａｙ  Ｒｅｐｌｙ”メッセージは、ＩＰアクセスノード２１を介して、”ＤＨＣＰ  Ｒｅｐｌｙ”メッセージとしてＵＥ１０に到達する。
【００２３】
ＵＥ１０は、ＤＨＣＰサーバ２０からアドレスが通知されたＰ−ＣＳＣＦ３０にＩＮＶＩＴＥメッセージを送信して発信手順を実行する。その後、ＵＥ１０は、通信相手の端末装置と通信を行う。
【００２４】
ＵＥ１０は、発呼が重要通信呼である場合には、”ＤＨＣＰ  Ｉｎｆｏｒｍａｔｉｏｎ−Ｒｅｑｕｅｓｔ”メッセージに、重要通信である場合に用いられる重要通信用のパラメータを含める。なお、ＵＥ１０は、登録手順が完了していない場合にも、ユーザが１１０番や１１９番などを入力した場合には、”ＤＨＣＰ  Ｉｎｆｏｒｍａｔｉｏｎ−Ｒｅｑｕｅｓｔ”メッセージに、重要通信である場合に用いられる重要通信用のパラメータを含める。
【００２５】
ＤＨＣＰサーバ２０は、”ＤＨＣＰ  Ｒｅｌａｙ  ｆｏｒｗａｒｄ”メッセージに重要通信用であることを示すパラメータが含まれている場合には、”ＤＨＣＰ  Ｒｅｌａｙ  Ｒｅｐｌｙ”に、重要呼用Ｐ−ＣＳＣＦ４０のアドレスを示す情報を含める。
【００２６】
発呼が重要通信呼である場合には、ＤＨＣＰサーバ２０からＵＥ１０に重要呼用Ｐ−ＣＳＣＦ４０のアドレスが通知されるので、ＵＥ１０は、重要呼用Ｐ−ＣＳＣＦ４０にＩＮＶＩＴＥメッセージを送信して発信手順を実行する。
【００２７】
重要呼用Ｐ−ＣＳＣＦ４０は、ＩＮＶＩＴＥメッセージをＥ−ＣＳＣＦ６０に転送する。Ｅ−ＣＳＣＦ６０は、ＵＥ１０の位置情報とともにルーティング要求をＲＤＦ７０に出力する。ＲＤＦ７０は、ＵＥ１０の位置情報にもとづいて、ＰＳＡＰ８０への経路を決める。多数のＰＳＡＰ８０が存在する場合には、ＲＤＦ７０は、ＵＥ１０が存在する位置に最も近い位置に存在するＰＳＡＰ８０への経路を決めることが好ましい。
【００２８】
Ｅ−ＣＳＣＦ６０は、ＲＤＦ７０から提供されたルーティング情報にもとづいてルーティング制御を行って、ＵＥ１０とＰＳＡＰ８０との間の通信を実現させる。
【００２９】
なお、ＤＨＣＰサーバ２０は、端末装置からの要求に重要通信用のパラメータが含まれていない場合に、要求を送信した端末装置が、呼の確率を優先すべき優先端末であることを認識したときには、重要呼用Ｐ−ＣＳＣＦ４０のアドレスを端末装置に通知するようにしてもよい。
【００３０】
以上のように、ＤＨＣＰサーバ２０が、ＵＥ１０から重要通信用のパラメータを含む要求を受信した場合には、重要呼用Ｐ−ＣＳＣＦ４０のアドレスをＵＥ１０に通知することによって、災害発生時等にＰ−ＣＳＣＦ３０に輻輳が発生しても、ＵＥ１０の重要呼を迂回させることができ、ＵＥ１０とＰＳＡＰ８０との間の通信を実行させることができる。
【００３１】
実施形態２．
図４は、本発明による通信システムの第２の実施形態（実施形態２）の構成を示すブロック図である。図４に示す通信システム１０２は、第１の実施形態の通信システム１０１に保守装置９０が追加された通信システムである。
【００３２】
保守装置９０は、ＩＭＳ網内において輻輳が発生している輻輳エリアの情報を保持している。ＤＨＣＰサーバ２０は、保守装置９０から輻輳エリアの情報を取得することができる。また、第２の実施形態では、ＵＥ１０は、ＵＥ１０に内蔵されたＧＰＳ装置によって自装置の位置を検出する機能を有する端末装置である。
【００３３】
図５は、ＵＥとＰＳＡＰとの通信を可能にする処理を説明するための説明図である。図６は、図４に示す通信システムにおいて、重要通信呼に関するＵＥとＤＨＣＰサーバとの間で実施される発見手順を示すシーケンス図である。
【００３４】
ＵＥ１０は、発呼が重要通信呼である場合には、”ＤＨＣＰ  Ｉｎｆｏｒｍａｔｉｏｎ−Ｒｅｑｕｅｓｔ”メッセージに、ＧＰＳ装置によって検出された自装置の位置をを示す情報（端末位置情報）を含める。なお、ＵＥ１０は、登録手順が完了いていない場合にも、ユーザが１１０番や１１９番などを入力した場合には、”ＤＨＣＰ  Ｉｎｆｏｒｍａｔｉｏｎ−Ｒｅｑｕｅｓｔ”メッセージに端末位置情報を含める。
【００３５】
”ＤＨＣＰ  Ｉｎｆｏｒｍａｔｉｏｎ−Ｒｅｑｕｅｓｔ”メッセージは、ＩＰアクセスノード２１を介してリレーされ、”ＤＨＣＰ  Ｒｅｌａｙ  ｆｏｒｗａｒｄ”メッセージとしてＤＨＣＰサーバ２０に到達する。
【００３６】
ＤＨＣＰサーバ２０は、”ＤＨＣＰ  Ｒｅｌａｙ  ｆｏｒｗａｒｄ”メッセージに端末位置情報が含まれている場合には、要求が重要通信に関する要求であると認識する。そして、ＤＨＣＰサーバ２０は、端末位置情報が示すＵＥ１０の位置と、保守装置９０から取得して保持している情報が示す輻輳エリアとを比較する。ＵＥ１０の位置が輻輳エリア内にある場合には、ＤＨＣＰサーバ２０は、”ＤＨＣＰ  Ｒｅｌａｙ  Ｒｅｐｌｙ”に、重要呼用Ｐ−ＣＳＣＦ４０のアドレスを示す情報を含める。ＵＥ１０の位置が輻輳エリア内の範囲外にある場合には、ＤＨＣＰサーバ２０は、”ＤＨＣＰ  Ｒｅｌａｙ  Ｒｅｐｌｙ”に、Ｐ−ＣＳＣＦ３０のアドレスを示す情報を含める。
【００３７】
ＤＨＣＰサーバ２０は、重要呼用Ｐ−ＣＳＣＦ４０のアドレスまたはＰ−ＣＳＣＦ３０のアドレスを示す情報を含む”ＤＨＣＰ  Ｒｅｌａｙ  Ｒｅｐｌｙ”メッセージを送信する。”ＤＨＣＰ  Ｒｅｌａｙ  Ｒｅｐｌｙ”メッセージは、ＩＰアクセスノード２１を介して、”ＤＨＣＰ  Ｒｅｐｌｙ”メッセージとしてＵＥ１０に到達する。
【００３８】
重要呼用Ｐ−ＣＳＣＦ４０のアドレスが通知された場合には、ＵＥ１０は、重要呼用Ｐ−ＣＳＣＦ４０にＩＮＶＩＴＥメッセージを送信して発信手順を実行する。Ｐ−ＣＳＣＦ３０のアドレスが通知された場合には、Ｐ−ＣＳＣＦ３０にＩＮＶＩＴＥメッセージを送信して発信手順を実行する。
【００３９】
Ｅ−ＣＳＣＦ６０は、第１の実施形態の場合と同様に、ＩＮＶＩＴＥメッセージをＥ−ＣＳＣＦ６０に転送する。Ｅ−ＣＳＣＦ６０は、ＵＥ１０の位置情報とともにルーティング要求をＲＤＦ７０に出力する。ＲＤＦ７０は、ＵＥ１０の位置情報にもとづいて、ＰＳＡＰ８０への経路を決める。
【００４０】
Ｅ−ＣＳＣＦ６０は、ＲＤＦ７０から提供されたルーティング情報にもとづいてルーティング制御を行って、ＵＥ１０とＰＳＡＰ８０との間の通信を実現させる。
【００４１】
以上のように、ＤＨＣＰサーバ２０が、ＵＥ１０から端末位置情報を含む要求を受信した場合には、重要呼用Ｐ−ＣＳＣＦ４０のアドレスをＵＥ１０に通知することによって、災害発生時等にＰ−ＣＳＣＦ３０に輻輳が発生しても、ＵＥ１０の重要呼を迂回させることができ、ＵＥ１０とＰＳＡＰ８０との間の通信を実行させることができる。
【００４２】
図７は、本発明による通信システムの主要部を示すブロック図である。図７に示すように、通信システム１００は、加入者情報の管理を行うとともに、加入者に対するサービスを提供するアプリケーションサーバ４に接続される第１の呼セッション制御サーバ１と、端末装置５からの呼接続要求を第１の呼セッション制御サーバ１に伝達する第２の呼セッション制御サーバ２とが設けられた通信システムであって、端末装置５の位置情報にもとづいて、端末装置５からの一般呼とは異なる重要通信呼の重要通信受付端末６へのルーティングを行う重要通信呼ルーティング装置７が設けられ、第２の呼セッション制御サーバ２とは別に、端末装置５からの重要通信の呼接続要求を重要通信呼ルーティング装置７に伝達する第３の呼セッション制御サーバ３が設けられていることを特徴とする。このような通信システムでは、第２の呼セッション制御サーバで輻輳が発生した場合でも、第３の呼セッション制御サーバによって重要呼を確立することができる。
【００４３】
また、上記の各実施形態では、以下の（１）〜（５）に示すような通信システムも示されている。
【００４４】
（１）第１の呼セッション制御サーバは、ＩＭＳ網におけるＳ−ＣＳＣＦ（例えば、Ｓ−ＣＳＣＦ５０）であり、第２の呼セッション制御サーバは、ＩＭＳ網におけるＰ−ＣＳＣＦ（例えば、Ｐ−ＣＳＣＦ３０）であり、第３の呼セッション制御サーバは、ＩＭＳ網に設けられた重要通信呼用のＰ−ＣＳＣＦ（例えば、重要呼用Ｐ−ＣＳＣＦ４０）である通信システム。そのように構成された通信システムでは、重要通信時には重要通信呼を重要通信呼用のＰ−ＣＳＣＦに迂回させることで、災害発生時にＰ−ＣＳＣＦに輻輳が発生しても、重要通信を実現することができる。
【００４５】
（２）端末装置からの要求に応じて端末装置がアクセスすべきＰ−ＣＳＣＦのアドレスを端末装置に通知するＤＨＣＰサーバ（例えば、ＤＨＣＰサーバ２０）が設けられ、ＤＨＣＰサーバは、端末装置からの要求が重要通信呼についての要求である場合に、重要通信呼用のＰ−ＣＳＣＦのアドレスを端末装置に通知する通信システム。例えば、実施形態１で実現される。そのように構成された通信システムでは、重要通信呼は重要通信呼用のＰ−ＣＳＣＦに接続されるので、災害発生時にＰ−ＣＳＣＦに輻輳が発生しても、重要通信を実現することができる。
【００４６】
（３）ＤＨＣＰサーバは、端末装置から重要通信であることを示す情報を含む要求を受けた場合に、端末装置からの要求が重要通信呼についての要求であると判断する通信システム。例えば、実施形態１で発呼が重要通信呼である場合において、ＵＥ１０からＤＨＣＰサーバ２０に重要通信楊のパラメータを含めるという動作によって実現される。そのように構成された通信システムでは、ＩＭＳ網における端末装置の登録手順が完了していない場合にも、重要通信を実現することができる。
【００４７】
（４）通信の輻輳が生じているエリアを示す情報を保持する管理装置（例えば、保守装置９０）が設けられ、端末装置は、自装置の位置を検出する位置検出手段（例えば、実施形態２のＧＰＳ装置）と、位置検出手段が検出した位置を示す位置情報をＤＨＣＰサーバに対する要求に含める位置通知手段とを備え、ＤＨＣＰサーバは、端末装置からの要求に位置情報が含まれていることを検出した場合に、要求に含まれていた位置情報が示す位置が、管理装置が保持する情報が示す通信の輻輳が生じているエリアに含まれているときに、端末装置からの要求が重要通信呼についての要求であると判断する通信システム。例えば、実施形態２で、ＵＥ１０、保守装置９０およびＤＨＣＰサーバ２０の間で行われる動作によって実現される。そのように構成された通信システムでは、災害発生時にＰ−ＣＳＣＦに輻輳が発生しても、重要通信を実現することができる。
【００４８】
（５）重要通信呼ルーティング装置は、端末装置のＩＰアドレスにもとづいて、端末装置からの重要通信呼の重要通信受付端末へのルーティングを行う通信システム。例えば、実施形態１のＲＤＦ７０によって実現される。そのように構成された通信システムでは、災害発生時の緊急呼が発呼された場合に、緊急呼を受ける適切な重要通信受付端末にルーティングを行うことができる。
【産業上の利用可能性】
【００４９】
本発明は、ＩＭＳ網を介して通信を行う通信システム等に適用可能である。
【図面の簡単な説明】
【００５０】
【図１】本発明による通信システムの第１の実施形態の構成を示すブロック図である。
【図２】第１の実施形態においてＵＥとＰＳＡＰとの通信を可能にする処理を説明するための説明図である。
【図３】第１の実施形態の通信システムにおいて、重要通信呼に関するＵＥとＤＨＣＰサーバとの間で実施される発見手順を示すシーケンス図である。
【図４】本発明による通信システムの第２の実施形態の構成を示すブロック図である。
【図５】第２の実施形態においてＵＥとＰＳＡＰとの通信を可能にする処理を説明するための説明図である。
【図６】第２の実施形態の通信システムにおいて、重要通信呼に関するＵＥとＤＨＣＰサーバとの間で実施される発見手順を示すシーケンス図である。
【図７】本発明による通信システムの主要部を示すブロック図である。
【符号の説明】
【００５１】
１    第１の呼セッション制御サーバ
２    第２の呼セッション制御サーバ
３    第３の呼セッション制御サーバ
４    アプリケーションサーバ
５    端末装置
６    重要通信受付端末
７    重要通信呼ルーティング装置
１０  ＵＥ
２０  ＤＨＣＰサーバ
２１  ＩＰアクセスノード
３０  Ｐ−ＣＳＣＦ
４０  重要呼用Ｐ−ＣＳＣＦ
５０  Ｓ−ＣＳＣＦ
６０  Ｅ−ＣＳＣＦ
７０  ＬＲＦ（ＲＤＦ）
８０  ＰＳＡＰ
９０  保守装置
１００，１０１，１０２  通信システム
２０１  ＩＰアクセス網
３０１  ＩＭＳ網
【図１】
2010074769.tif 000003
【図２】
2010074769.tif 000004
【図３】
2010074769.tif 000005
【図４】
2010074769.tif 000006
【図５】
2010074769.tif 000007
【図６】
2010074769.tif 000008
【図７】
2010074769.tif 000009